(57)【要約】    【課題】      正確な気象予測を実現しつつ、小型化、低消費電力化を実現することができる移動携帯端末、通信ホスト装置及び気象予測システムを提供する。    【解決手段】  移動携帯端末７は、通信機能を備えるとともに、気温、湿度、気圧、日照の少なくとも１つの気象情報を測定するセンサ部７３０と、気象情報を蓄積する第１の気象情報蓄積部７２３と、気象情報を取捨する閾値情報を蓄積する第１の閾値情報蓄積部７２２と、閾値情報に基づき必要な気象情報を演算する第２の情報演算部７５０と、演算結果を蓄積する第１の演算結果蓄積部７２１と、演算結果に基づき気象予測を行なう第１の気象予測部７６０とを備えている。気象情報は通信ホスト装置に送信され、通信ホスト装置は閾値情報を生成し移動携帯端末７に送信する。移動携帯端末７及び通信ホスト装置は気象予測システムを構築する。  【選択図】      図１
2005300176.tif 000002
【特許請求の範囲】
【請求項１】
気温、湿度、気圧、日照のいずれか若しくは複数の気象情報を測定するセンサ部と、
前記気象情報を蓄積する第１の気象情報蓄積部と、
前記気象情報を取捨する閾値情報を蓄積する第１の閾値情報蓄積部と、
前記閾値情報に基づき前記気象情報から必要な気象情報を演算する第１の情報演算部と、
前記必要な気象情報に基づき第１の気象予測を行なう第１の気象予測部と、
前記気象情報を送信し、前記閾値情報を受信する通信手段と、
前記第１の気象予測を出力する気象予測出力手段と、
前記センサ部、前記第１の気象情報蓄積部、前記第１の閾値情報蓄積部、前記第１の情報演算部、前記第１の気象予測部、前記通信手段及び気象予測出力手段を制御する第１の情報制御部と、
を備えたことを特徴とする移動携帯端末。
【請求項２】
前記気象予測出力手段は、前記第１の気象予測を視覚情報として利用者に出力する表示部、前記第１の気象予測を聴覚触覚情報として前記利用者に出力する音源部、のいずれか一方又は双方であることを特徴とする請求項１記載の移動携帯端末。
【請求項３】
前記気象情報の気温、湿度、気圧、日照の各気象因子に重み付けをするための予測係数を蓄積する第１の予測係数蓄積部を更に備え、
前記予測係数を使用して前記第１の気象予測を行なうことを特徴とする請求項１又は請求項２記載の移動携帯端末。
【請求項４】
前記予測係数を使用した前記第１の気象予測の正誤の的中情報を送信する的中情報送信手段を更に備えたことを特徴とする請求項３記載の移動携帯端末。
【請求項５】
前記気象情報の送信若しくは前記閾値情報の受信において、セキュリティ上の認証情報を蓄積する第１の認証情報蓄積部を更に備えたことを特徴とする請求項３又は請求項４記載の移動携帯端末。
【請求項６】
通信ホスト装置において生成された第２の気象予測の情報を蓄積する第１のホスト予測蓄積部と、
前記第２の気象予測を前記気象予測出力手段において出力させる予測表示命令の情報を蓄積する第１の予測表示命令蓄積部と、を更に備えたことを特徴とする請求項５に記載の移動携帯端末。
【請求項７】
情報蓄積装置と、
ホストコンピュータと、
ネットワークインターフェイスと、を備え、
前記情報蓄積装置は、
移動携帯端末から送信される気象情報を蓄積する第２の気象情報蓄積部と、
前記気象情報を取捨する閾値情報を蓄積する第２の閾値情報蓄積部と、
前記気象情報以外の端末外気象情報を蓄積する端末外気象情報データベース部と、
前記移動携帯端末の少なくとも位置情報を蓄積する端末情報蓄積部と、を備え、
前記ホストコンピュータは、
前記気象情報及び前記端末外気象情報に基づき前記閾値情報を演算する第２の情報演算部と、
前記第２の気象情報蓄積部、前記第２の閾値情報蓄積部、前記端末外気象情報データベース部、前記端末情報蓄積部、第２の情報演算部及びネットワークインターフェイスを制御する第２の情報制御部と、を備え、
前記ネットワークインターフェイスは、少なくとも前記気象情報を受信し、前記閾値情報を送信する送受信機能を備えたことを特徴とする通信ホスト装置。
【請求項８】
前記気象情報の気温、湿度、気圧、日照の各気象因子に重み付けをするための予測係数を生成する前記第２の情報演算部と、
前記予測係数を蓄積する第２の予測係数蓄積部と、を更に備えたことを特徴とする請求項７記載の通信ホスト装置。
【請求項９】
前記気象情報の受信若しくは前記閾値情報の送信において、セキュリティ上の認証情報を蓄積する第２の認証情報蓄積部を更に備えたことを特徴とする請求項８記載の通信ホスト装置。
【請求項１０】
前記移動携帯端末から送信される前記第１の気象予測の正誤の的中情報を蓄積する的中情報蓄積部を更に備えたことを特徴とする請求項９記載の通信ホスト装置。
【請求項１１】
前記第２の気象情報蓄積部に蓄積された気象情報と前記端末外気象情報データベース部に蓄積された端末外気象情報とに基づき第２の気象予測を行なう第２の気象予測部と、
前記第２の気象予測の情報を蓄積する第２のホスト予測蓄積部と、
前記第２の気象予測の情報を前記移動携帯端末において出力させる予測表示命令の情報を蓄積する第２の予測表示命令蓄積部と、
を更に備えたことを特徴とする請求項９又は請求項１０記載の通信ホスト装置。
【請求項１２】
前記請求項１乃至請求項６記載のいずれかの移動携帯端末と、
前記請求項７乃至請求項１１記載のいずれかの通信ホスト装置と、
を備えたことを特徴とする気象予測システム。
【発明の詳細な説明】
【技術分野】
【０００１】
本発明は、移動携帯端末、通信ホスト装置及び気象予測システムに関し、特に気象予測を実現することができる移動携帯端末、この移動携帯端末における気象予測を実現させるための通信ホスト装置及び移動携帯端末、通信ホスト装置のそれぞれを含む気象予測システムに関する。
【背景技術】
【０００２】
下記特許文献１〜特許文献５には、移動携帯端末を用いて気象予測を実現することができる発明が提案されている。特許文献１においては、複数種類の気象衛星から得た測定情報から天候を予測し、全地球測位システム（ＧＰＳ:Global Positioning System）搭載の移動携帯端末に対してＧＰＳを利用して移動携帯端末の位置を特定し、狭い地域の短時間後の天候を予測し移動携帯端末に配信する手法が提案されている。
【０００３】
特許文献２においては、ＰＨＳ回線の基地局に気象センサを搭載し、利用者が固定電話から気象情報センタに問合せを行い、気象情報センタが基地局に搭載された気象センサを使用して現地の天候を収集し、この情報を利用者に提供する手法が提案されている。
【０００４】
特許文献３〜特許文献５においては、移動体通信網を利用し、各移動携帯端末に気象センサを搭載し、この気象センサにより得られる情報を収集し気象予測に利用する手法が提案されている。
【０００５】
なお、取得した気象情報（気温、湿度、気圧、日照、降水量、雲の形、風圧、風向）に基づき気象予測を行う手法については、非特許文献１に詳細に記載されている。
【０００６】
移動体通信網を利用し、各移動携帯端末に気象センサを搭載し、気象センサで得られた情報を収集、利用して気象予測を行うことは、数時間以内の短時間の気象予報（以下、単に「短時間予報」という。）を行う上で有効な手法である。例えば、露店商、野外イベント企画会社等の職種を営む者にとって突然の雨は営業上切実な問題であり、又突然の集中豪雨は多大な被害を生じるおそれがあり、正確な短時間予報は重要である。しかしながら、正確な短時間予報の実現は以下のように困難な場合が多い。
【０００７】
現在、気象庁において行われている短時間予報は１時間から６時間程度先までの範囲内である。例えば、現在の降水に対する短時間予報は、１時間毎の降水量を６時間先まで予測した予報である。短時間予報は、数値予報モデルと実況補外予測との２つの手法について、それぞれの重みを決めて結合する手法が使用されている。
【０００８】
数値予報モデルには、水平スケールが数１０ｋｍから数１００ｋｍ程度の範囲内において数時間のメソスケール現象の予報を行なうメソ数値予報モデルが使用されている。メソ数値予報モデルは、具体的には約２０ｋｍ四方に１か所設置されている地域気象観測システム（以下、通称「アメダス」と言われている。）において自動観測された気象情報を利用している。実況補外予測はレーダアメダス解析雨量から求められた２．５ｋｍ四方の地域の雨量から数時間後の雨量を予測する。
【０００９】
数値予報モデルに利用されるアメダスの情報は２０ｋｍ四方に１か所であり、これよりも狭い地域の情報を観測することができない。また、実況補外予測に用いるレーダーアメダス解析雨量は２．５ｋｍ四方の雨量を求めているが、実測した数値は地形等の影響を受けるので精度は、アメダス雨量より正確性が劣る。
【００１０】
そこで、実際には、レーダアメダス解析雨量とアメダス雨量とを比較し補正しながら数値予報モデルに使用されている。また、時間経過後の予測は推定値を外挿により求めることができるが、初期時刻以後に発生する降水量は予測することができない。
【００１１】
短時間予報においては、時間、空間スケールが小さく、気象現象が激しく変化する場合も多く、アメダスよりも狭い範囲の気象情報を正確に観測することができないことから、気象予報を正確に行うことができない場合が多い。特に、これらの理由から、非常に短時間の、例えば１時間以内の気象予報を行うことは現状では困難である。
【００１２】
無線移動体通信システムにおいて、基地局のセル半径は数１００ｍから数ｋｍの範囲内であり、数ｋｍのセル半径の場合には１つのセルを複数のセクタに分割している場合が多い。つまり、無線移動体通信システムは、アメダスの設置区間よりも狭い地域の気象情報を収集することができる。
【００１３】
今後ますます普及すると考えられるＧＰＳを移動携帯端末に搭載すれば、更に詳細な位置決めが可能となる。つまり、各移動携帯端末に気象センサを搭載し、移動体通信網を利用し、気象センサの情報を収集すれば、アメダスと比べ非常に狭い範囲の気象情報を短時間の間隔において収集することができ、短時間予報を正確に行うことが可能である。
【特許文献１】特開２０００−１５５１７８号公報
【特許文献２】特許第３３６６２７５号公報
【特許文献３】特開２００１−１３６５６８号公報
【特許文献４】特開２００２−０４４２８９号公報
【特許文献５】特開２００２−１４８０６１号公報
【非特許文献１】ＮＨＫ放送文化研究所、「ＮＨＫ気象ハンドブック改訂版」、１９９６年１０月、日本放送出版協会
【発明の開示】
【発明が解決しようとする課題】
【００１４】
しかしながら、前述の特許文献１〜特許文献５において開示された発明は、気象情報を収集して短時間予報を行なう具現化された内容は実質的に記載されておらず、現在実用化されていない。気象情報を収集して短時間予報を実現するには、以下のような課題を解決する必要がある。
【００１５】
まず第１の課題は、移動携帯端末において気象情報を収集する場合、取得できる気象情報の種類が少なくなることである。通常、気象予報に利用される気象情報には気圧、気温、風向、風速、降水量、湿度、日照時間、日射量、雲の形等が必要であり、これらの気象情報は測定器において自動的に観測するようになっている。これに対して、小型化、低価格化等を勘案すると、移動携帯端末に搭載可能な気象センサは、現実的には気温、湿度、気圧、日照について測定することができる気象センサであると考えられ、このような気象センサにおいては、当然のことながら、気温、湿度、気圧及び日照以外の気象情報である風向、風速、降水量、雲の形を測定することができない。
【００１６】
第２の課題は、移動携帯端末に搭載された気象センサにより観測された気象情報の信頼性が、アメダスにおいて観測された気象情報に比べて低くなることである。移動携帯端末においては、小型化、低価格化が要求され、高精度、高価格な気象センサを搭載することが難しい。更に、移動携帯端末が鞄やバックの中にある場合、移動携帯端末が空調の効いた室内に置かれてある場合、移動携帯端末を身に付け体温の影響がある場合等、気象センサによる観測条件が様々に異なる。高精度、高価格な気象センサを移動携帯端末に搭載することが今後も難しいと考えられ、気象センサにより収集された気象情報をいかに高い精度にするか、つまり収集された気象情報のうち、気象予報に不必要な気象情報をいかに効率的に除去するかが重要である。
【００１７】
第３の課題は、移動携帯端末において、観測した気象情報のデータ通信量を多く送信することが難しいことである。通常の移動体通信システムにおいて、非音声の通信にはパケット通信が使用されており、送受信した情報量に応じて課金される料金システムである。通信料の低減、通信トラフィックの低減等を考えると、観測した気象情報の通信データ量はできる限り少ない方が好ましい。
【００１８】
ここで、移動携帯端末の通信頻度を少なくし、通信時間間隔を長くすれば、通信料を低減することができ、又通信トラフィックを低減することができる。アメダスにおいては、１０分に１度の気象観測が行われている。しかしながら、移動体通信においては、１０分に１度の気象観測を行い、その都度、定期的に気象情報を送信することは、送信頻度としては比較的多い方である。また、前述のように、狭い地域の短時間間隔の気象予報を正確に行なうという点では、短時間間隔で定期的に気象情報を送信することが必要になる。
【００１９】
第４の課題は、移動携帯端末において、気象情報に基づいた複雑な演算処理や大量の情報処理をすることが難しいことである。移動携帯端末の高機能化、高処理能力化は格段に進歩しているものの、移動携帯端末の軽量化、低消費電力化の要望が強い。移動携帯端末においては、気象情報に基づいた簡単な演算処理や少量の情報処理を実行することが好ましい。
【００２０】
第５の課題は、移動体通信特有の課題であり、移動携帯端末の位置が頻繁に変化することである。例えば、移動携帯端末の利用者が高速移動時に移動携帯端末において気象情報を受け取る場合を想定すると、利用者が存在する地域に正確に気象情報を提供することができるように考慮する必要がある。
【００２１】
本発明は、かかる点に鑑みてなされたものであり、移動携帯端末、ホストコンピュータを備えた通信ホスト装置のそれぞれの機能分担を適切に割り振り、気象予報を正確に行い、通信トラフィックを低減することができ、かつ移動携帯端末における複雑な処理を減少することができ、利用者に利便性の高い気象予報サービスを提供することができる移動携帯端末、通信ホスト装置及び気象予測システムを提供することを目的とする。
【課題を解決するための手段】
【００２２】
本発明の移動携帯端末は、気温、湿度、気圧、日照のいずれか若しくは複数の気象情報を測定するセンサ部と、前記気象情報を蓄積する第１の気象情報蓄積部と、前記気象情報を取捨する閾値情報を蓄積する第１の閾値情報蓄積部と、前記閾値情報に基づき前記気象情報から必要な気象情報を演算する第１の情報演算部と、前記必要な気象情報に基づき第１の気象予測を行なう第１の気象予測部と、前記気象情報を送信し、前記閾値情報を受信する通信手段と、前記第１の気象予測を出力する気象予測出力手段と、前記センサ部、前記第１の気象情報蓄積部、前記第１の閾値情報蓄積部、前記第１の情報演算部、前記第１の気象予測部、前記通信手段及び気象予測出力手段を制御する第１の情報制御部とを備えた構成を採る。
【００２３】
この構成によれば、センサ部により気象情報を測定し、この気象情報に基づき第１の気象予測部において第１の気象予測を行なうことができる。更に、第１の閾値情報蓄積部に蓄積された閾値情報に基づき不必要な気象情報を破棄し、必要な少量の気象情報に基づき第１の気象予測を行い、気象予測出力手段に第１の気象予測を出力することができるので、第１の気象予測に必要な演算処理能力を軽減し、第１の気象予測を自信で行なうことができる移動携帯端末の小型化、低消費電力化を実現することができる。更に、センサ部においては、最小限の気象情報を測定しているので、通信手段により送信する気象情報量を減少することができる。
【００２４】
本発明の移動携帯端末は、前記気象予測出力手段は、前記第１の気象予測を視覚情報として利用者に出力する表示部、前記第１の気象予測を聴覚触覚情報として前記利用者に出力する音源部、のいずれか一方又は双方である構成を採る。
【００２５】
本発明の移動携帯端末は、前記気象情報の気温、湿度、気圧、日照の各気象因子に重み付けをするための予測係数を蓄積する第１の予測係数蓄積部を更に備え、前記予測係数を使用して前記第１の気象予測を行なう構成を採る。
【００２６】
この構成によれば、第１の予測係数蓄積部に蓄積された予測係数に基づき第１の気象予測を行なうことができるので、第１の気象予測を行なう演算処理量を軽減することができる。従って、移動携帯端末の小型化、低消費電力化を実現することができる。
【００２７】
本発明の移動携帯端末は、前記予測係数を使用した前記第１の気象予測の正誤の的中情報を送信する的中情報送信手段を更に備えた構成を採る。
【００２８】
この構成によれば、的中情報に基づき予測係数の精度を高め、第１の気象予測の精度を向上することができる。
【００２９】
本発明の移動携帯端末は、前記気象情報の送信若しくは前記閾値情報の受信において、セキュリティ上の認証情報を蓄積する第１の認証情報蓄積部を更に備えた構成を採る。
【００３０】
この構成によれば、移動携帯端末の情報の送受信において、セキュリティを向上することができる。
【００３１】
本発明の移動携帯端末は、通信ホスト装置において生成された第２の気象予測の情報を蓄積する第１のホスト予測蓄積部と、前記第２の気象予測を前記気象予測出力手段において出力させる予測表示命令の情報を蓄積する第１の予測表示命令蓄積部とを更に備えた構成を採る。
【００３２】
この構成によれば、移動携帯端末において第１の気象予測が困難な場合に、第１のホスト予測蓄積部に蓄積された第２の気象予測を第１の予測表示命令蓄積部に蓄積された予測表示命令に基づき出力することができる。
【００３３】
更に、本発明の通信ホスト装置は、情報蓄積装置と、ホストコンピュータと、ネットワークインターフェイスとを備え、前記情報蓄積装置は、移動携帯端末から送信される気象情報を蓄積する第２の気象情報蓄積部と、前記気象情報を取捨する閾値情報を蓄積する第２の閾値情報蓄積部と、前記気象情報以外の端末外気象情報を蓄積する端末外気象情報データベース部と、前記移動携帯端末の少なくとも位置情報を蓄積する端末情報蓄積部とを備え、前記ホストコンピュータは、前記気象情報及び端末外気象情報に基づき前記閾値情報を演算する第２の情報演算部と、前記第２の気象情報蓄積部、前記第２の閾値情報蓄積部、前記端末外気象情報データベース部、前記端末情報蓄積部、第２の情報演算部及びネットワークインターフェイスを制御する第２の情報制御部とを備え、前記ネットワークインターフェイスは、少なくとも前記気象情報を受信し、前記閾値情報を送信する送受信機能を備えた構成を採る。
【００３４】
この構成によれば、第２の気象情報蓄積部に蓄積された、移動携帯端末から送信される気象情報と端末外気象情報データベース部に蓄積された端末外気象情報との膨大な情報量に基づき第２の情報演算部において閾値情報を生成することができ、大半の重い演算処理をこの第２の情報演算部において処理することができる。従って、前述の移動携帯端末における第１の気象予測に必要な演算処理量を軽減することができる。更に、端末外気象情報データベース部には、例えばアメダスの端末から取得した端末外気象情報を蓄積し、この端末外気象情報を補助的に使用して閾値情報を生成することができるので、閾値情報の精度を高め、結果的に移動携帯端末における第１の気象予測の精度を向上することができる。更に、端末外気象情報を利用することができるので、移動携帯端末には高精度かつ高価な気象情報の気象センサを搭載する必要がなくなり、移動携帯端末の小型化、低価格化を実現することができる。
【００３５】
本発明の通信ホスト装置は、前記気象情報の気温、湿度、気圧、日照の各気象因子に重み付けをするための予測係数を生成する前記第２の情報演算部と、前記予測係数を蓄積する第２の予測係数蓄積部と、を更に備えた構成を採る。
【００３６】
この構成によれば、予測係数を第２の情報演算部において生成することができるので、移動携帯端末の演算処理量を軽減することができる。
【００３７】
本発明の通信ホスト装置は、前記気象情報の受信若しくは前記閾値情報の送信において、セキュリティ上の認証情報を蓄積する第２の認証情報蓄積部を更に備えた構成を採る。
【００３８】
この構成によれば、通信ホスト装置の情報の送受信において、セキュリティを向上することができる。
【００３９】
本発明の通信ホスト装置は、前記移動携帯端末から送信される前記第１の気象予測の正誤の的中情報を蓄積する的中情報蓄積部を更に備えた構成を採る。
【００４０】
この構成によれば、的中情報蓄積部に蓄積された第１の気象予測の的中情報に基づき予測係数の精度を高め、第１の気象予測の精度を向上することができる。
【００４１】
本発明の通信ホスト装置は、前記第２の気象情報蓄積部に蓄積された気象情報と前記端末外気象情報データベース部に蓄積された端末外気象情報とに基づき第２の気象予測を行なう第２の気象予測部と、前記第２の気象予測を蓄積する第２のホスト予測蓄積部と、前記第２の気象予測を前記移動携帯端末において出力させる予測表示命令の情報を蓄積する第２の予測表示命令蓄積部とを更に備えた構成を採る。
【００４２】
この構成によれば、第２の予測表示命令蓄積部に蓄積された予測表示命令と第２の気象予測部に蓄積された第２の気象予測とに基づき、移動携帯端末において第１の気象予測が困難な場合に第２の気象予測を出力させることができる。
【００４３】
そして、本発明の気象予測システムは、前述の移動携帯端末と、通信ホスト装置とを備えた構成を採る。
【００４４】
この構成によれば、前述の効果を得ることができる気象予測システムを提供することができる。
【発明の効果】
【００４５】
本発明によれば、移動携帯端末、通信ホスト装置のそれぞれの機能分担を適切に割り振り、気象予報を正確に行い、通信トラフィックを低減することができ、かつ移動携帯端末における複雑な処理を減少することができ、利用者に利便性の高い気象予報サービスを提供することができる移動携帯端末、通信ホスト装置及び気象予測システムを提供することができる。
【発明を実施するための最良の形態】
【００４６】
本発明の骨子は、気象予測システムにおいて、気象予測に必要な機能を主に移動携帯端末に搭載し、気象予測に必要な閾値、係数等の生成に必要な複雑な演算機能を通信ホスト装置に搭載するようにしたことである。
【００４７】
本発明の実施の形態に係る気象予測システムにおいて、移動携帯端末における気象予測は、現行のアメダスの気象情報を収集する地域に比べて、非常に狭い地域において収集した気象情報に基づき実行することができる特徴がある。更に、気象予測システムにおいては、移動携帯端末と通信ホスト装置との間においてインタラクティブつまり双方向に気象情報等の情報を送受信することができる特徴がある。
【００４８】
移動携帯端末と通信ホスト装置との間においてインタラクティブに情報の送受信が可能であると、気象予測に必要な役割分担を移動携帯端末、通信ホスト装置のそれぞれに適切に配分することができる。具体的には、移動携帯端末においてその移動性を利用して気象情報を収集し、この気象情報を通信ホスト装置に送信する。通信ホスト装置においては、複数の移動携帯端末からの気象情報を収集し、これらの気象情報を気象予測に必要な演算を行い、これらの演算結果を移動携帯端末に送信する。移動携帯端末においては、通信ホスト装置から送信される演算結果に基づき気象予測を行なう。
【００４９】
このような適切な機能分担により、気象情報などの膨大な情報を蓄積する機能及び複雑なかつ重い演算処理を行なう機能を通信ホスト装置において実行することにより、移動携帯端末においては、少ない情報量の蓄積と簡単な演算処理とにより、気象予測を行なうことができる。更に、インタラクティブであることにより、通信ホスト装置から移動携帯端末に、すなわち管理者から利用者に天気予報の配信サービス、気象情報の取得配信サービス、天気予報の的中率向上サービス等を提供することができる。また、情報送受信の際のセキュリティ性を向上する認証サービスを提供することができる。
【００５０】
以下、本発明の最良の実施の形態について、図面を参照して詳細に説明する。
【００５１】
（実施の形態１）
［気象予測システムの構成］
気象予報の業務は、法律上、気象予報が与える社会的影響を鑑み、例えば気象庁の職員、気象予報士等の特定の者しか行なうことができない。このような制約の範疇において、気象予報の提供サービスを実現する、本発明の実施の形態１に係る気象予測システム１は、図２に示すように、ホストコンピュータ２１及び情報蓄積装置２２を有する通信ホスト装置２と、通信ホスト装置２のホストコンピュータ２１に回線（ネットワーク）３を通して接続される利用者端末４（４Ａ〜４Ｃ）と、回線３に接続される基地局制御装置５（５Ａ、５Ｂ）と、基地局制御装置に接続される移動体無線基地局６と、移動体無線基地局６との間で通信の送受信を行なう移動携帯端末７とを備えて構築されている。回線３は実施の形態１において主に有線回線である。ここで、有線回線とは、マイクロ波による中継、衛星による中継等の中継システムが組み込まれた有線回線を含む意味で使用される。移動体無線基地局６において、基地局６Ａを中心として取り囲む破線はセル範囲６ｘであり、同様に基地局６Ｂを中心として取り囲む破線はセル範囲６ｙである。
【００５２】
ここで、利用者端末４の取り扱いは特定の者に限定される。この特定の者とは、前述のように、気象庁の職員、気象予報士等の気象予報に対して専門的知識を有する利用者である。この利用者は、利用者端末４から回線３を通じて通信ホスト装置２にアクセスし、後述するが、例えば気象予測の演算方法、具体的には通信ホスト装置２における予測係数の演算方法等を変更することができる。このような演算方法の変更は気象予測の精度を向上する上で重要である。また、利用者は、利用者端末４を利用し、回線３を通じて通信ホスト装置２から気象予測に関する様々な情報を取得することができる。利用者においては、この取得した気象情報等に基づき独自の気象予測を行い、気象予測の提供サービスを行なうことができる。利用者端末４は例えばパーソナルコンピュータである。
【００５３】
移動携帯端末７は、前述の特定の者以外の一般の者において取り扱うことができる携帯電話機、無線通信機、パーソナルコンピュータ（特に、携帯可能なノート型パーソナルコンピュータ）、携帯型情報端末（ＰＤＡ）等である。
【００５４】
なお、実施の形態１においては、利用者端末４（４Ａ〜４Ｃ）、基地局制御装置５（５Ａ、５Ｂ）、移動体無線基地局６の基地局６Ａ、６Ｂ、移動携帯端末７のそれぞれは図２に示される数に限定されるものではない。
【００５５】
［移動携帯端末の構成］
次に、実施の形態１に係る図２に示す移動携帯端末７の構成を説明する。実施の形態１に係る移動携帯端末７は、まず通信を実現する基本的な構成として、図１に示すように、アンテナ部７０１と、送受信部７０２と、変復調部７０３と、通信制御部７０４と、第１の情報制御部７０５とを備えている。
【００５６】
アンテナ部７０１は無線信号の送受信を行なう。送受信部７０２は無線帯域の無線信号の受信及び送信を行なう。変復調部７０３は送受信信号の変調若しくは復調を行なう。通信制御部７０４は、無線通信を正確に行なう誤り検出、誤り訂正、送受信のタイミング、移動体無線基地局６に対する電波の強度の把握等の無線通信を実現する制御を行なう。第１の情報制御部７０５は、無線通信以外のアプリケーションソフトウェアやハードウェアの制御を主体的に行なう。
【００５７】
通信制御部７０４、第１の情報制御部７０５は、いずれも、例えば１つ又は複数のＣＰＵ（中央演算処理ユニット）若しくはＤＳＰ（デジタル信号プロセッサ）、又はＣＰＵとＤＳＰとを組合せて構築されている。第１の情報制御部７０５には、オペレーティングシステム（ＯＳ）、アプリケーションソフトウェアが格納された内部メモリ７２０及び各種ハードウェアが接続されている。
【００５８】
内部メモリ７２０は、通信制御部７０４及び第１の情報制御部７０５の双方に接続されメモリ機能を共用する構成を採用しているが、通信制御部７０４、第１の情報制御部７０５のそれぞれに独立した構成を採用してもよい。内部メモリ７２０は、情報の書き込み速度、読み出し速度、記憶容量等に応じて、１つ又は複数のメモリデバイスにより構築されている。なお、内部メモリ７２０の詳細なブロック構成は後述する。
【００５９】
第１の情報制御部７０５に接続される各種ハードウェアには、音源部７０６と、電源部７０７と、可換メモリ（揮発性メモリ）部７０８と、赤外線通信部７０９と、タイマ部７１０と、キー（入力）部７１１と、カメラ部７１２と、表示部７１３とが含まれている。表示部７１３は文字、図形、記号等の視覚情報を出力し、利用者はこの視覚情報を知ることができる。音源部７０６は例えばアラーム、音楽、音声、振動等の聴覚触覚情報を出力し、利用者はこの聴覚触覚情報を知ることができる。
【００６０】
そして、実施の形態１に係る移動携帯端末７は、気象予測に必要な、センサ部７３０と、第１の演算結果蓄積部７２１と、第１の閾値情報蓄積部７２２と、第１の気象情報蓄積部７２３と、第１の情報演算部７５０と、第１の気象予測部７６０とを更に備えている。
【００６１】
センサ部７３０は、基本的には気象情報を測定する機能を備え、日照を測定する日照計７３１と、湿度を測定する湿度計７３３と、気温を測定する温度計７３３と、気圧を測定する気圧計７３４とを備えている。センサ部７３０の各センサ（気象センサ）は、気象予測を実現する上で最小限必要な気象情報を収集することができる。これらのセンサに限定することで、移動携帯端末７は小型化が可能でかつ低消費電力化が可能である。実施の形態１に係るセンサ部７３０は、前述のように４つのセンサ（７３１〜７３４）を備えているが、必ずしもすべてのセンサを備える必要はなく、１つのセンサ、２つのセンサ又は３つのセンサを備えていればよい。ここで、日照計７３１には、単に日照量のみを測定する気象センサだけに限定されるものではなく、日照量の測定を一定期間測定し日照時間の算出が実行できる気象センサが含まれる。
【００６２】
第１の演算結果蓄積部７２１、第１の閾値情報蓄積部７２２及び第１の気象情報蓄積部７２３は、実施の形態１において内部メモリ７２０に構築されている。第１の気象情報蓄積部７２３は、センサ部７３０において測定された気象情報を一定時間間隔で、かつ一定時間期間分蓄積することができる。第１の閾値情報蓄積部７２２は、センサ部７３０において測定された気象情報のうち、必要な気象情報と不必要な気象情報との取捨を行なう閾値の情報を蓄積することができる。第１の演算結果蓄積部７２１は、演算の結果抽出された必要な気象情報を蓄積することができる。
【００６３】
第１の情報演算部７５０は、各種ハードウェアの情報の演算、特に第１の気象情報蓄積部７２３に蓄積された気象情報と第１の閾値情報蓄積部７２２に蓄積された閾値情報とに基づき必要な気象情報を抽出（取拾）する演算を少なくとも実行することができる。第１の気象予測部７６０は、第１の演算結果蓄積部７２１に蓄積された気象情報に基づき、気象予測を行なうことができる。
【００６４】
第１の情報制御部７０５は、各種ハードウェアを制御することは勿論のこと、特に通信ホスト装置２のホストコンピュータ２１との間において、気象予測に関する通信信号（気象予測情報）の送受信制御を行なうことができる。
【００６５】
移動携帯端末７は、センサ部７３０を備え、このセンサ部７３０による気象情報の収集を主要な機能として付加されている。この気象情報の収集自体は、気象予測に伴う演算処理に比べて非常に小さな情報処理能力において実行することができる。更に、移動携帯端末７は、第１の情報演算部７５０及び第１の気象予測部７６０を備え、この第１の情報演算部７５０及び第１の気象予測部７６０により通信ホスト装置２の情報処理能力に対してあまり情報処理能力を要求しない範囲で気象予測を行なうようになっている。
【００６６】
［通信ホスト装置の構成］
次に、実施の形態１に係る図２に示す通信ホスト装置２の構成を説明する。実施の形態１に係る通信ホスト装置２は、図３に示すように、前述したホストコンピュータ２１及び情報蓄積装置２２に加えて、更にネットワークインターフェイス２５０を備えている。ネットワークインターフェイス２５０は図２に示す回線３とこの通信ホスト装置２との間を接続するインターフェイスである。
【００６７】
ホストコンピュータ２１は、第２の情報制御部２１１と、第２の情報演算部２１２と、第２の気象予測部２１３とを備えている。
【００６８】
情報蓄積装置２２は、ユーザ送信情報蓄積部２２０と、端末外気象情報データベース部２２５と、ユーザ情報蓄積部２３０と、ワークメモリ部２４０とを備えて構築されている。ユーザ送信情報蓄積部２２０は、第２の予測表示命令蓄積部２２１と、第２の予測係数蓄積部２２２と、第２のホスト予測蓄積部２２３とを備えている。端末外気象情報データベース部２２５は、端末外気象情報蓄積部２２６と、季節情報蓄積部２２７と、地図情報蓄積部２２８とを備えている。ユーザ情報蓄積部２３０は、第２の気象情報蓄積部２３１と、端末情報蓄積部２３２と、的中情報蓄積部２３３と、第２の認証情報蓄積部２３４、第２の閾値情報蓄積部２３５とを備えている。ワークメモリ部２４０は第２の演算結果蓄積部２４１により構築されている。
【００６９】
通信ホスト装置２は、移動携帯端末７に対してはるかに高い情報処理能力を備えた固定設備として構築することができるので、第２の情報演算部２１２及び第２の気象予測部２１３は情報処理能力が要求される気象予測に必要な処理を行うことができる。
【００７０】
［気象予測システムの動作］
次に、移動携帯端末７の動作を図４を用いて説明し、通信ホスト装置２の動作を図５を用いて説明し、併せて気象予測システムの動作を説明する。
【００７１】
移動携帯端末７の動作
まず最初に、移動携帯端末７の動作を説明する。ステップＳ１に示すように、センサ部７３０を用いて気象情報を取得し、この取得された気象情報を内部メモリ７２０の第１の気象情報蓄積部７２３に蓄積する。気象予測には気象情報の経時的な要素が必要になるので、気象情報の蓄積は一定時間間隔でかつ一定時間期間行われる。
【００７２】
気象情報は、例えば移動携帯端末７が室内にある場合、室外にある場合、所持者の体温の影響を受ける場合等により変化するので、必要な気象情報と不必要な気象情報とを選別する必要がある。ステップＳ２に示すように、通信ホスト装置２から気象情報の取拾（選別）を行なう閾値情報が送信されている場合には、移動携帯端末７の第１の閾値情報蓄積部７２２において、閾値情報が蓄積される。
【００７３】
ステップＳ３に示すように、第１の情報制御部７０５は、第１の閾値情報蓄積部７２２に閾値情報が蓄積されているか否かを判定する。第１の閾値情報蓄積部７２２に閾値情報が蓄積されていない場合、又は閾値情報が蓄積されているものの現在の移動携帯端末７が存在する地域に適合する閾値情報でない場合、ステップＳ９に示すように、通信ホスト装置２に対して、閾値情報を送信する要求が行われる。この閾値情報の送信要求を実行した後、この処理は終了する。
【００７４】
ステップＳ３において、第１の閾値情報蓄積部７２２に閾値情報が蓄積されている場合、ステップＳ４に示すように、第１の情報演算部７５０において、第１の気象情報蓄積部７２３に蓄積された気象情報と第１の閾値情報蓄積部７２２に蓄積された閾値情報とが比較される。そして、ステップＳ５に示すように、第１の情報演算部７５０において、閾値を超えているか否かが判定される。閾値を超えている場合、実施の形態１においては不必要な気象情報であることを意味し、ステップＳ１０に示すように、すべての気象情報が不必要な気象情報であるか否かが判定される。すべての気象情報が不必要な気象情報である場合、この処理は終了する。すべての気象情報が不必要な気象情報でない場合、ステップＳ１１に示すように、一部の不必要な気象情報は破棄され、残りの必要な気象情報はこの後気象予測に使用される。ここで、閾値は、単なる数値範囲を使用してもよいし、又平均値等の基準値とこの基準値からのばらつき（偏差）の値とで設定してもよい。
【００７５】
ステップＳ５において、閾値を超えていない場合は必要な気象情報であることを意味し、ステップＳ６に示すように、この気象情報に基づき第１の気象予測部７６０において気象予測が行われる。また、ステップＳ１１において、残りの必要な気象情報に基づき第１の気象予測部７６０において気象予測が行われる。この気象予測の結果は、ステップＳ７に示すように、移動携帯端末７の表示部７１３において、視覚情報として利用者に出力される。
【００７６】
そして、必要な気象情報又は破棄されずに残った必要な気象情報は、ステップＳ８に示すように、通信制御部７０４、変復調部７０３及び送受信部７０２を通してアンテナ７０１から通信ホスト装置２に送信される。この気象情報の送信後、この処理は終了する。
【００７７】
通信ホスト装置２の動作
次に、通信ホスト装置２の動作を説明する。まず最初に、通信ホスト装置２の情報蓄積装置２２において、ステップＳ２１に示すように、端末外気象情報データベース部２２５の端末外気象情報蓄積部２２６に蓄積されているアメダス等の気象情報、季節情報蓄積部２２７に蓄積されている季節情報、地図情報蓄積部２２８に蓄積されている地図情報を更新する必要がある場合には更新する。
【００７８】
ステップＳ２２に示すように、移動携帯端末７の内部メモリ７２０の第１の気象情報蓄積部７２３に蓄積された気象情報と移動携帯端末７の情報とを取得する。この取得された気象情報はユーザ情報蓄積部２３０の第２の気象情報蓄積部２３１に蓄積される。移動携帯端末７の情報は端末情報蓄積部２３２に蓄積される。移動携帯端末７の情報とは、位置情報、気象情報の送信時刻情報等である。
【００７９】
前述の図２に示すように、移動携帯端末７と移動体無線基地局６との間において無線通信が実施されれば、移動携帯端末７が存在するセル範囲６ｘ又は６ｙを特定することができるので、移動携帯端末７の位置情報を簡易にかつ安価に取得することができる。例えば、移動携帯端末７と基地局６Ａとの間において無線通信が行われていれば、移動携帯端末７はセル範囲６ｘ内に存在することを認識することができる。
【００８０】
ＧＰＳはセル範囲６ｘ又は６ｙで特定される位置情報に対して高い精度の位置情報を得ることができる。しかしながら、気象予測においては、ＧＰＳで特定されるような高い精度の位置情報は要求されない。なお、移動携帯端末７には標準的にＧＰＳを搭載した機種が製品化されているので、この場合にはＧＰＳを有効に利用し気象予測に必要な位置情報を取得してもよい。
【００８１】
ステップＳ２３に示すように、第２の気象情報蓄積部２３１に蓄積された気象情報に基づき、一定の地域単位において気象情報の統計処理を行う。この統計処理は第２の情報演算部２１２において行われる。ここで、一定の地域単位とは、通信ホスト装置２が決定する狭い地域であり、具体的には１つの基地局６Ａのセル範囲６ｘ若しくは基地局６Ｂのセル範囲６ｙ、複数のセル範囲６ｘ及び６ｙ、市町村の範囲等であり、短時間予報の精度を著しく低下させない程度の単位の地域を意味する。
【００８２】
ステップＳ２４に示すように、一定の地域単位において気象情報が予め設定された設定値Ｘの範囲内のばらつきか否かが判定される。設定値Ｘは、人体の体温の影響があるか否か、暖房機や冷房機等の空調がなされた部屋であるか否かなどの移動携帯端末７の周辺環境の影響による気温や湿度の気象情報のばらつきを、季節情報蓄積部２２７に蓄積された季節情報具体的には季節に適した気温や湿度を加味した上で、正確な気象情報であるか否かを見極めるための閾値である。気象情報が設定値Ｘの範囲外のばらつきである場合、ステップＳ２８に示すように、不必要な気象情報として破棄される。判定並びに不必要な気象情報の破棄は第２の情報演算部２１２において行われる。
【００８３】
気象情報が設定値Ｘの範囲内のばらつきである場合、ステップＳ２５に示すように、端末情報蓄積部２３２に蓄積された移動携帯端末７の位置情報と地図情報蓄積部２２８に蓄積された地図情報とに基づき、該当する地域の高度（標高）情報を算出する。通常、気圧は高度が高くなるにつれて低くなるので、該当する地域の標準的な気圧を算出することができる。
【００８４】
ステップＳ２６に示すように、算出された高度情報と第２の気象情報蓄積部２３１に蓄積された気象情報の気圧情報とに基づき、この気象情報が予め設定された設定値Ｙの範囲内のばらつきか否かが判定される。気象情報が設定値Ｙの範囲外のばらつきである場合、すなわち気圧が該当地域の気圧に対して明らかに相違する値であれば、ステップＳ２９に示すように、不必要な気象情報として破棄される。判定並びに不必要な気象情報の破棄は第２の情報演算部２１２において行われる。
【００８５】
同様に、季節情報蓄積部２２７に蓄積された季節情報と、端末情報蓄積部２３２に蓄積された気象情報を取得した日時情報と、第２の気象情報蓄積部２３１に蓄積された気象情報とに基づき、取得した日時の気象情報が季節情報に対して明らかに異なる値であれば、不必要な気象情報として破棄される。
【００８６】
前述の地図情報及び季節情報を加味する場合、端末外気象情報蓄積部２２６に蓄積されている、該当地域若しくはその近傍のアメダスの情報も併せて加味される。例えば、該当地域においては現在「雨」であった場合、単純に地図情報から求めた該当地域の気圧に比べて低い気圧を示す場合がある。このような場合、地図情報や季節情報により必要、不必要な気象情報を判別するのではなく、アメダスの情報に基づき大凡の気象状況を加味すれば、不必要な情報は高い精度で破棄することができ、必要な情報は高い精度で気象予測に使用することができる。
【００８７】
ここまでの処理によって、通信ホスト装置２においては、気象予測に必要な気象情報の各予測因子に対して、どの程度のばらつきの範囲内であれば正確な気象情報であるか否かの閾値情報を得ることができる。そして、ステップＳ２７に示すように、前述の図４に示すステップＳ９において説明した閾値情報の送信要求が図１に示す移動携帯端末７から通信ホスト装置２にあるか否かが判定される。閾値情報の送信要求がない場合、この処理は終了する。閾値情報の送信要求がある場合、ステップＳ３０に示すように、通信ホスト装置２は移動携帯端末７に閾値情報を送信する。この閾値情報の送信後、この処理は終了する。
【００８８】
このように、実施の形態１によれば、気象予測システム１は、移動携帯端末７、通信ホスト装置２の各々に気象予測に必要な機能を分割して分担させている。この結果、通信ホスト装置２は、１つの移動携帯端末７で所有することが困難な複数の移動携帯端末７で収集された気象情報を蓄積し、この気象情報に基づき統計処理を行い、この処理結果とアメダス等の端末外気象情報、季節情報及び地図情報とを利用してどの程度の範囲の気象情報が有効なものであるか否かを示す閾値情報を演算し、この閾値情報を移動携帯端末７に送信することができる。一方、移動携帯端末７は、センサ部７３０において気象情報を収集する簡易な処理を行い、更に通信ホスト装置２から送信される閾値情報に基づき収集された気象情報のうち不必要な気象情報を正確に破棄することができ、必要な気象情報に基づき正確な気象予測を行なうことができる。必要な気象情報は情報量としては少なく、従って情報処理量を少なくすることができ、しかも情報処理時間を短縮することができる。
【００８９】
（実施の形態２）
本発明の実施の形態２に係る移動携帯端末、通信ホスト装置及び気象予測システムは、予測係数を利用して気象予測を行なう例、気象予測の正誤の的中情報を利用して予測係数を補正し気象予測を行なう例を説明するものである。
【００９０】
［移動携帯端末の構成］
実施の形態２に係る移動携帯端末７は、基本的には実施の形態１に係る移動携帯端末７と同様の構成であるが、図６に示すように、内部メモリ７２０に更に第１の予測係数蓄積部７２４を備えている。
【００９１】
ここで、数値予報モデルの予測結果から気温や降水量等の気象の天気要素を求める方法には大別してＭＯＳ方式とＰＰＭ方式とがある。ＭＯＳ方式は、過去の数値予報の予測値と観測値とから統計的関係式を作成し、数値予報の予測値から天気要素を予測する方式であり、線形重回帰式のカルマンフィルタや非線形関数を用いたニューラルネットワーク等の計算方法を使用する。ＰＰＭ方式は、ＭＯＳ方式における予測値の代わりに各天気要素の初期値とそれに対応する時刻の観測値との間で統計的関係式を作成する方式であり、線形重回帰式に分類されている。いずれの方式も予測値の取扱いに違いはあるが、予測値に対し何らかの係数を乗算する点は共通している。この係数の算出や比較には大きな演算量が必要とされる。
【００９２】
そこで、係数の算出や比較は通信ホスト装置２において演算し、この演算の結果得られた係数（予測係数）が移動携帯端末７の内部メモリ７２０に配設された第１の予測係数蓄積部７２４に蓄積される。移動携帯端末７においては、この第１の予測係数蓄積部７２４に蓄積された予測係数を利用して気象予測を行なうことができる。
【００９３】
更に、移動携帯端末７は、第１の気象予測部７６０に的中情報出力部７６１を備えている。この的中情報出力部７６１は、移動携帯端末７の利用者がキー部７１１の操作で任意に通信ホスト装置２に的中情報を送信することができる機能を有する。ここで、的中情報とは、移動携帯端末７における気象予測が的中したか若しくは的中しなかったかの正誤を示す情報であり、該当地域の気象予測の予測係数を補正する情報として使用される。
【００９４】
［通信ホスト装置の構成］
実施の形態２に係る通信ホスト装置２は、前述の実施の形態１に係る、図３に示す通信ホスト装置２と基本的には同様である。実施の形態２において、通信ホスト装置２は、ユーザ送信情報蓄積部２２０に配設された第２の予測表示命令蓄積部２２１、第２の予測係数蓄積部２２２及び第２のホスト予測蓄積部２２３を必要とする。
【００９５】
［気象予測システムの動作］
次に、移動携帯端末７の動作を図７を用いて説明し、通信ホスト装置２の動作を図８を用いて説明し、併せて気象予測システムの動作を説明する。
【００９６】
移動携帯端末７の動作
実施の形態２に係る移動携帯端末７の気象予測を実現するための動作は、前述の実施の形態１に係る移動携帯端末７の、図４に示すステップＳ６の気象予測を行なう段階を、図７に示す移動携帯端末７のフローチャートに置き換えたものである。
【００９７】
すなわち、まず最初に、ステップＳ４１に示すように、通信ホスト装置２から予測係数が送信されている場合、移動携帯端末７は内部メモリ７２０の第１の予測係数蓄積部７２４に予測係数を蓄積する。
【００９８】
移動携帯端末７においては、ステップＳ４２に示すように、第１の予測係数蓄積部７２４に予測係数が蓄積されているか否かを判定する。予測係数が蓄積されている場合、ステップＳ４３に示すように、蓄積されている予測係数に基づき気象予測を行なう。気象予測の終了後、この処理は終了する。
【００９９】
一方、第１の予測係数蓄積部７２４に予測係数が蓄積されていない場合、ステップＳ４４に示すように、通信ホスト装置２に対して予測係数の送信要求を行なう。この送信要求を行った後に、移動携帯端末７の第１の予測係数蓄積部７２４に予め蓄積された予測係数の初期値を用い、ステップＳ４５に示すように、移動携帯端末７において気象予測を行なう。この気象予測の終了後、この処理は終了する。
【０１００】
なお、ステップＳ４１に示す予測係数が蓄積されているか否かの判定において、移動携帯端末７が高速移動中、セル範囲間のハンドオーバ中、予測係数が現在の移動携帯端末７の存在する地域のものではないなどの場合、第１の予測係数蓄積部７２４に予測係数は蓄積されているものの、この蓄積された予測係数が気象予報に使用できないときには予測係数が蓄積されていないと判定され、ステップＳ４４に示す予測係数の送信要求を行なう。
【０１０１】
通信ホスト装置２の動作
実施の形態２に係る通信ホスト装置２は、ステップＳ５１に示すように、常に移動携帯端末７から予測係数の送信要求があるか否かを監視する。予測係数の送信要求がある場合、ステップＳ５２に示すように、通信ホスト装置２は移動携帯端末７に予測係数を送信する。予測係数の送信要求があるか否かを監視する動作は、消費電力を削減することを目的として、定常的に行なうことが好ましい。予測係数の送信後、この処理は終了する。一方、移動携帯端末７から予測係数の送信要求がない場合、この処理は終了する。
【０１０２】
一方、ステップＳ５３に示すように、移動携帯端末７から任意に的中情報が送信されていれば、通信ホスト装置２は的中情報蓄積部２３３に的中情報を蓄積する。的中情報は、移動携帯端末７が存在する地域及び的中情報を送信した時刻の識別ができる形式において蓄積される。
【０１０３】
ステップＳ５４に示すように、通信ホスト装置２においては、的中情報蓄積部２３３に的中情報が蓄積されているか否かを判定する。的中情報が蓄積されている場合、ステップＳ５５に示すように、的中情報が発信された地域の、発信時刻の予測係数を補正し、第２の予測係数蓄積部２２２に補正された予測係数を蓄積する。補正された予測係数の蓄積後、この処理は終了する。的中情報が蓄積されていない場合、この処理は終了する。
【０１０４】
通常の気象予報においても、気象予報の結果に対する予報精度の検証が行われ、予報精度を高めるためにフィードバックが行われている。同様の目的で、実施の形態２においては、予測係数を広い範囲で一律に求めると移動携帯端末７を利用して狭い地域の気象情報を収集する利点を生かすことができないので、予測係数はセル範囲６ｘ若しくは６ｙ、複数のセル範囲６ｘ及び６ｙ、市町村等により区分けされた一定の狭い地域毎に設定し蓄積し、移動携帯端末７においてこの予測係数を用いて気象予測を行い、移動携帯端末７から任意に送信される的中情報に基づき予測係数を補正するようにしたので、正確な気象予測を実現することができる。
【０１０５】
更に、移動携帯端末７においては、通信ホスト装置２から送信される予測係数を内部メモリ７２０の第１の予測係数蓄積部７２４に蓄積し、この蓄積された予測係数に基づき簡易な処理で正確な気象予測を実現することができる。
【０１０６】
（実施の形態３）
本発明の実施の形態３に係る移動携帯端末、通信ホスト装置及び気象予測システムは、移動携帯端末７において気象予測結果を利用者に通知する際の利便性を向上しつつ、セキュリティ機能を向上することができる例を説明するものである。
【０１０７】
［移動携帯端末の構成］
実施の形態３に係る移動携帯端末７は、基本的には実施の形態２に係る移動携帯端末７と同様の構成であるが、図９に示すように、内部メモリ７２０に更に第１の認証情報蓄積部７２５を備えている。
【０１０８】
通常、気象予測の結果は移動携帯端末７の表示部７１３に表示される。表示部７１３には、例えば液晶表示パネル若しくは有機エレクトロルミネッセンスパネルを実用的に使用することができる。気象予報の利用者は、常時、表示部７１３を見られる状態にあるとは限らない。一方、利用者が短時間予報を要望している場合には、気象予測の結果が出力された時点で、即座に、利用者は気象予測の結果を知りたい。
【０１０９】
そこで、実施の形態３に係る移動携帯端末７においては、気象予測が行われると、一定の時間経過後に、気象予測として降水予測を聴覚情報として利用者に通知する機能を備えるようにしたものである。
【０１１０】
［通信ホスト装置の構成］
実施の形態３に係る通信ホスト装置２は、前述の実施の形態１に係る、図３に示す通信ホスト装置２と基本的には同様である。実施の形態３において、通信ホスト装置２は、ユーザ情報蓄積部２３０に配設された第２の認証情報蓄積部２３４を必要とする。
【０１１１】
［気象予測システムの動作］
次に、移動携帯端末７の動作を図１０を用いて説明し、通信ホスト装置２の動作を図１１を用いて説明し、併せて気象予測システムの動作を説明する。
【０１１２】
移動携帯端末７の動作
実施の形態３に係る移動携帯端末７の動作は、まず最初に、利用者が移動携帯端末７のキー部７１１を操作し、移動携帯端末７の認証登録を行った場合、ステップＳ６１に示すように、この認証情報は移動携帯端末７の内部メモリ７２０の第１の認証情報蓄積部７２５に蓄積される。
【０１１３】
ステップＳ６２に示すように、気象予測として例えば雨が降ることが近いか否かが判定される。移動携帯端末７の第１の気象予測部７６０において行われた気象予測の結果、雨が近いうちに降ると気象予測された場合、ステップＳ６３に示すように、第１の情報制御部７０５は音源部７０６に雨が近いうちに降る旨の聴覚情報を出力する命令を出し、この命令に基づき音源部７０６はアラーム、音声等の聴覚情報を出力する。なお、移動携帯端末７は更にバイブレーション機能を備え、このバイブレーション機能を利用して雨が近いうちに降る旨の情報を単独で又はアラーム若しくは音声とともに出力するようにしてもよい。ここで、実施の形態３において、バイブレーション機能を利用した振動による利用者への通知は触覚情報に含まれる。雨が近いうちに降らないと気象予測がなされた場合、聴覚触覚情報の出力は行わない。
【０１１４】
ステップＳ６４に示すように、第１の認証情報蓄積部７２５に利用者が移動携帯端末７の認証登録を行っているか否かが判定される。ステップＳ６５に示すように、認証登録を行っている場合、破棄されていない気象情報が通信ホスト装置２に送信される。この気象情報の送信後、この処理は終了する。一方、認証登録を行っていない場合、この処理は終了する。
【０１１５】
通信ホスト装置２の動作
次に、移動携帯端末７と通信ホスト装置２との間の送受信を行なう際のセキュリティ機能の説明をしつつ、通信ホスト装置２の動作を説明する。前述の実施の形態１及び実施の形態２に係る気象予測システムの動作においては、移動携帯端末７から気象情報が通信ホスト装置２に自動的に送信されている。このような場合、移動携帯端末７の利用者に固有の情報が、利用者が意図しない方法により送信されることになるので、利用者に固有の情報の漏洩を防止することにより、利用者のプライバシーを保護する必要がある。また、気象予報サービスを提供する通信ホスト装置２の管理者においては、不特定多数の利用者に気象情報を提供することは、不特定多数の利用者に回収不可能な課金をすることであり、気象予報サービスの運用上好ましくない。そこで、移動携帯端末７と通信ホスト装置２との間の気象情報の送受信に際し、以下に説明するような認証機能を付加する。
【０１１６】
まず最初に、移動携帯端末７の利用者は通信ホスト装置２の管理者との間で気象予測を行なう機能を利用する認証を行った場合、前述のように、認証登録を行った旨の情報が移動携帯端末７の第１の認証情報蓄積部７２５に蓄積される。この認証登録の蓄積がなされると、ステップＳ７１に示すように、認証登録が蓄積された旨の情報が移動携帯端末７から通信ホスト装置２に送信され、通信ホスト装置２はユーザ情報蓄積部２３０の第２の認証情報蓄積部２３４にその旨の情報を蓄積する。ここで、利用者が気象予報のサービス提供を認証した場合、同時に、移動携帯端末７に蓄積された気象予測に必要な情報を通信ホスト装置２に自動送信することも認証されたものとする。なお、この認証された内容は利用者の移動携帯端末７に送信されるようになっている。
【０１１７】
移動携帯端末７と通信ホスト装置２との間の認証が行われた以降は、前述の図１０に示すステップＳ６４の、利用者から移動携帯端末７の認証登録をしているか否かが判定され、ステップＳ６５に示すように、認証登録をしている場合に限り移動携帯端末７の第１の気象情報蓄積部７２４に蓄積された気象情報が通信ホスト装置２に送信されるようになっている。
【０１１８】
通信ホスト装置２においては、ステップＳ７２に示すように、利用者の移動携帯端末７から通信ホスト装置２に蓄積された情報の送信要求があるか否かが判定される。ここで、通信ホスト装置２に蓄積された情報とは、アメダス等の気象予報情報、気象予測係数情報、閾値情報等の情報である。情報の送信要求がない場合、この処理は終了する。
【０１１９】
情報の送信要求がある場合、通信ホスト装置２においては、ステップＳ７３に示すように、利用者の認証登録が第１の認証情報蓄積部７２５に蓄積されているか否かが判定される。認証登録が蓄積されていない場合、この処理は終了する。
【０１２０】
認証登録が蓄積されている場合、ステップＳ７４に示すように、通信ホスト装置２に蓄積された気象予測に必要な情報が利用者の移動携帯端末７に送信される。気象予測に必要な情報が送信された後、この処理は終了する。
【０１２１】
移動携帯端末７においては、この送信された気象予測に必要な情報に基づき気象予測がなされる。
【０１２２】
なお、利用者の認証登録がなされず、通信ホスト装置２から気象予測に必要な情報が移動携帯端末７に送信されない場合には、移動携帯端末７に蓄積された初期値の情報に基づき気象予測が行われる。この初期値の情報に基づく気象予測は、通信ホスト装置２から送信された気象予測に必要な情報に基づきなされた気象予測に対して低い精度である。
【０１２３】
このように、実施の形態３によれば、移動携帯端末７の内部メモリ７２０の第１の気象情報蓄積部７２３に蓄積された気象予測を聴覚情報として出力するようにしたので、利用者の利便性を向上することができる。更に、実施の形態３によれば、移動携帯端末７の内部メモリ７２０に第１の認証情報蓄積部７２５を備え、通信ホスト装置２のユーザ情報蓄積部２３０に第２の認証情報蓄積部２３３を備え、移動携帯端末７と通信ホスト装置２との間で相互の認証が行われない限り情報の送受信が行われないので、セキュリティ機能を向上することができる。
【０１２４】
（実施の形態４）
本発明の実施の形態４に係る移動携帯端末、通信ホスト装置及び気象予測システムは、前述の実施の形態１〜実施の形態３に係る移動携帯端末７と同様に移動携帯端末７において気象予測を行いつつ、更に移動携帯端末７において気象予測が困難である場合に通信ホスト装置２において気象予測を行いこの気象予測を移動携帯端末７に出力させるようにした例を説明するものである。
【０１２５】
［移動携帯端末の構成］
実施の形態４に係る移動携帯端末７は、基本的には実施の形態３に係る移動携帯端末７と同様の構成であるが、図１２に示すように、内部メモリ７２０に、更に、第１の予測表示命令蓄積部７２６と、第１のホスト予測蓄積部７２７とを備えている。
【０１２６】
［通信ホスト装置の構成］
実施の形態４に係る通信ホスト装置２は、前述の実施の形態１に係る、図３に示す通信ホスト装置２と基本的には同様である。実施の形態４において、通信ホスト装置２は、第２の気象予測部２１３と、ユーザ送信情報蓄積部２２０の第２の予測表示命令蓄積部２２１と、第２のホスト予測蓄積部２２３と、ユーザ情報蓄積部２３０の端末情報蓄積部２３２とを必要とする。
【０１２７】
［気象予測システムの動作］
次に、移動携帯端末７の動作を図１３を用いて説明し、通信ホスト装置２の動作を図１４を用いて説明し、併せて気象予測システムの動作を説明する。ここで、前述の実施の形態１〜実施の形態３に係るそれぞれの気象予測システム１は、移動携帯端末７と通信ホスト装置２との間において、通信時間、通信頻度を極力減少するために、気象予報は原則として移動携帯端末７において行われている。移動携帯端末７が高速移動中で例えば複数のセル範囲６ｘ、６ｙを短時間で移動する場合、移動携帯端末７のセンサ部７３０に故障が生じ正確な気象情報の測定ができない場合等においては、利用者に的確に気象予報を通知することができなくなる。また、通信ホスト装置２から送信されてきた閾値情報に基づき、移動携帯端末７において取得した気象情報を取拾した結果、すべての気象情報を破棄しなければならない場合、移動携帯端末７において気象予測を実行することが不可能になる。実施の形態４に係る気象予測システム１においては、移動携帯端末７において気象予測が実行できない場合に、通信ホスト装置２において気象予測が実行できるようにしたものである。
【０１２８】
移動携帯端末７の動作
実施の形態２に係る移動携帯端末７の動作は、まず最初に、ステップＳ８１に示すように、通信ホスト装置２から移動携帯端末７に、通信ホスト装置２のユーザ送信情報蓄積部２２０の第２のホスト予測蓄積部２２３に蓄積された気象予測が送信されている場合には、移動携帯端末７の内部メモリ７２０の第１のホスト予測蓄積部７２７にこの送信された気象予測を蓄積する。
【０１２９】
引き続き、ステップＳ８２に示すように、通信ホスト装置２から移動携帯端末７に、通信ホスト装置２のユーザ送信情報蓄積部２２０のホスト予測蓄積部２２３に蓄積された気象予測の表示命令が送信されている場合には、移動携帯端末７の内部メモリ７２０の第１のホスト予測蓄積部７２７にこの送信された表示命令を蓄積する。
【０１３０】
ステップＳ８３に示すように、移動携帯端末７において、第１の情報制御部７０５により移動携帯端末７自身の気象予測に問題があるか否か判定される。気象予測に問題がない場合、ステップＳ８４に示すように、第１の気象予測部７６０において実行され、第１の気象情報蓄積部７２３に蓄積された気象予測を例えば表示部７１３に表示する。この気象予測の表示後、この処理は終了する。
【０１３１】
気象予測に問題がある場合、ステップＳ８５に示すように、第１の予測表示命令蓄積部７２６に通信ホスト装置２から送信された気象予測の表示命令が蓄積されているか否かが判定される。表示命令が蓄積されていない場合、ステップＳ８４に示すように、第１の気象情報蓄積部７２３に蓄積された気象予測を例えば表示部７１３に表示する。この気象予測の表示後、この処理は終了する。
【０１３２】
表示命令が蓄積されている場合、ステップＳ８６に示すように、移動携帯端末７の内部メモリ７２０の第１のホスト予測蓄積部７２７に通信ホスト装置２から送信された気象予測が蓄積されているか否かが判定される。気象予測が蓄積されていない場合、ステップＳ８８に示すように、移動携帯端末７から通信ホスト装置２に気象予測の送信要求を出力する。ここで、気象予測がされていない場合には、移動携帯端末７が存在する現在の地域の気象予測が蓄積されていない場合、気象予測の情報が古い場合等も含まれる。送信要求の出力後、この処理は終了する。
【０１３３】
気象予測が蓄積されている場合、ステップＳ８７に示すように、通信ホスト装置２から送信され、移動携帯端末７の内部メモリ７２０の第１のホスト予測蓄積部７２７に蓄積された気象予測が例えば表示部７１３に表示される。このように、移動携帯端末７において生成した気象予測ではなく、通信ホスト装置２において生成した気象予測を移動携帯端末７において表示する場合、通信のトラフィックを減少するために、移動携帯端末７から通信ホスト装置２への気象情報の送信は中断される。気象予測の表示後、この処理は終了する。
【０１３４】
なお、移動携帯端末７においては、通信ホスト装置２から気象予測、気象予測の表示命令が送信されれば、常に、気象予測は内部メモリ７２０の第１のホスト予測蓄積部７２７に蓄積され、表示命令は第１の予測表示命令蓄積部７２６に蓄積される。
【０１３５】
通信ホスト装置２の動作
通信ホスト装置２の動作は、まず最初に、ステップＳ９１に示すように、通信ホスト装置２において常時蓄積される情報に基づき、第２の気象予測部２１３において実行した気象予測をユーザ情報蓄積部２３０の第２の気象情報蓄積部２３１に蓄積する。
【０１３６】
ここで、通信ホスト装置２は、ユーザ情報蓄積部２３０の端末情報蓄積部２３２に蓄積された端末情報に基づき、ステップＳ９２に示すように、高速移動中の移動携帯端末７を探索する。高速移動中の移動携帯端末７を発見した場合、通信ホスト装置２は、ステップＳ９３に示すように、この高速移動中の移動携帯端末７に対して、気象予測及び気象予測の表示命令を送信する。この気象予測及び表示命令の送信後、この処理は終了する。
【０１３７】
一方、高速移動中の移動携帯端末７でない場合においても、通信ホスト装置２は、ステップＳ９４に示すように、移動携帯端末７から気象予測及び気象予測の表示命令を送信する送信要求があるか否かを判定する。送信要求がない場合、この処理は終了する。送信要求がある場合、ステップＳ９５に示すように、通信ホスト装置２は移動携帯端末７に気象予測及び表示命令を送信する。この気象予測及び表示命令を送信後、この処理は終了する。
【０１３８】
このように、実施の形態４によれば、通信ホスト装置２からの気象予測の表示命令に基づき、又は移動携帯端末７自身の判断に基づき、通信ホスト装置２の第２の気象予測部２１３において実行された気象予測を移動携帯端末７において表示することができる。従って、移動携帯端末７において気象予測を実行することができるとともに、移動携帯端末７において気象予測が困難な場合においても通信ホスト装置２から送信される気象予測を表示することができる。
【産業上の利用可能性】
【０１３９】
本発明に係る移動携帯端末、通信ホスト装置及び気象予測システムは、移動携帯端末として携帯電話機に限定されるものではなく、無線通信機、携帯用ノート型パーソナルコンピュータ、携帯端末装置（ＰＤＡ）等の移動携帯端末、この移動携帯端末との間で情報の送受信を行なう通信ホスト装置及び移動携帯端末と通信ホスト装置とを含む気象予測システムに有効である。
【図面の簡単な説明】
【０１４０】
【図１】本発明の実施の形態１に係る気象予測システムの移動携帯端末の構成を示すブロック図
【図２】本発明の実施の形態１に係る気象予測システムの概略的な構成図
【図３】本発明の実施の形態１に係る通信ホスト装置の構成を示すブロック図
【図４】図１に示す移動携帯端末の動作を説明するフローチャート
【図５】図３に示す通信ホスト装置の動作を説明するフローチャート
【図６】本発明の実施の形態２に係る気象予測システムの移動携帯端末の構成を示すブロック図
【図７】図６に示す移動携帯端末の動作を説明するフローチャート
【図８】本発明の実施の形態２に係る気象予測システムの通信ホスト装置の動作を説明するフローチャート
【図９】本発明の実施の形態３に係る気象予測システムの移動携帯端末の構成を示すブロック図
【図１０】図９に示す移動携帯端末の動作を説明するフローチャート
【図１１】本発明の実施の形態３に係る気象予測システムの通信ホスト装置の動作を説明するフローチャート
【図１２】本発明の実施の形態４に係る気象予測システムの移動携帯端末の構成を示すブロック図
【図１３】図１２に示す移動携帯端末の動作を説明するフローチャート
【図１４】本発明の実施の形態４に係る気象予測システムの通信ホスト装置の動作を説明するフローチャート
【符号の説明】
【０１４１】
１  気象予測システム
２  通信ホスト装置
２１  ホストコンピュータ
２１１  第２の情報制御部
２１２  第２の情報演算部
２１３  第２の気象予測部
２２  情報蓄積装置
２２０  ユーザ送信情報蓄積部
２２１  第２の予測表示命令蓄積部
２２２  第２の予測係数蓄積部
２２３  第２のホスト予測蓄積部
２２５  端末外気象情報データベース部
２２６  端末外気象情報蓄積部
２２７  季節情報蓄積部
２２８  地図情報蓄積部
２３０  ユーザ情報蓄積部
２３１  第２の気象情報蓄積部
２３２  端末情報蓄積部
２３３  的中情報蓄積部
２３４  第２の認証情報蓄積部
２３５  第２の閾値情報蓄積部
２４０  ワークメモリ部
２４１  第２の演算結果蓄積部
２５０  ネットワークインターフェイス
３  回線
４、４Ａ〜４Ｃ  利用者端末
５、５Ａ、５Ｂ  基地局制御装置
６  移動体無線基地局
６Ａ、６Ｂ  基地局
６ｘ、６ｙ  セル範囲
７  移動携帯端末
７０１  アンテナ
７０２  送受信部
７０３  変復調部
７０４  通信制御部
７０５  第１の情報制御部
７０６  音源部
７０７  電源部
７０８  可換メモリ部
７０９  赤外線通信部
７１０  タイマ部
７１１  キー部
７１２  カメラ部
７１３  表示部
７２０  内部メモリ
７２１  第１の演算結果蓄積部
７２２  第１の閾値情報蓄積部
７２３  第１の気象情報蓄積部
７２４  第１の予測係数蓄積部
７２５  第１の認証情報蓄積部
７２６  第１の予測表示命令蓄積部
７２７  第１のホスト予測蓄積部
７３０  センサ部
７３１  日照計
７３２  湿度計
７３３  温度計
７３４  気圧計
７５０  第１の情報演算部
７６０  第１の気象予測部
【図１】
2005300176.tif 000003
【図２】
2005300176.tif 000004
【図３】
2005300176.tif 000005
【図４】
2005300176.tif 000006
【図５】
2005300176.tif 000007
【図６】
2005300176.tif 000008
【図７】
2005300176.tif 000009
【図８】
2005300176.tif 000010
【図９】
2005300176.tif 000011
【図１０】
2005300176.tif 000012
【図１１】
2005300176.tif 000013
【図１２】
2005300176.tif 000014
【図１３】
2005300176.tif 000015
【図１４】
2005300176.tif 000016